(57)【要約】    【課題】  前面パネルの裏側のスピーカ用のハーネスの接続構造を簡単にでき、前面パネルの裏側でのハーネスの錯綜を防止できると共に、点検等に際しての作業を容易に行えるようにする。    【解決手段】  前面パネル３の上部及び下部にスピーカ２３ａ，２３ｂ、３１ａ，３１ｂを配置し、前面パネル３の裏側に音声制御基板４４を配置し、音声制御基板４４の制御により、遊技状態に応じてスピーカ２３ａ，２３ｂ、３１ａ，３１ｂから効果音を出すようにした遊技機において、音声制御基板４４を前面パネル３の裏側に配置し、前面パネル３の裏側に、音声制御基板４４にハーネス５５を介して接続されさた中継基板５８を配置し、中継基板５８と各スピーカ２３ａ，２３ｂ、３１ａ，３１ｂとをハーネス５６ａ，５６ｂ、５７ａ，５７ｂを介して接続する。【選択図】    図３
2007313165.tif 000002
【特許請求の範囲】
【請求項１】
前面パネル（３）の上部及び下部にスピーカ（２３ａ）（２３ｂ）、（３１ａ）（３１ｂ）を配置し、前記前面パネル（３）の裏側に音声制御基板（４４）を配置し、該音声制御基板（４４）の制御により、遊技状態に応じて前記スピーカ（２３ａ）（２３ｂ）、（３１ａ）（３１ｂ）から効果音を出すようにした遊技機において、前記音声制御基板（４４）を前記前面パネル（３）の裏側に配置し、前記前面パネル（３）の裏側に、前記音声制御基板（４４）にハーネス（５５）を介して接続されさた中継基板（５８）を配置し、該中継基板（５８）と前記各スピーカ（２３ａ）（２３ｂ）、（３１ａ）（３１ｂ）とをハーネス（５６ａ）（５６ｂ）、（５７ａ）（５７ｂ）を介して接続したことを特徴とする遊技機。
【請求項２】
前記前面パネル（３）を開閉自在に枢支するヒンジ（２７）に近い側に前記中継基板（５８）を配置したことを特徴とする請求項１に記載の遊技機。
【請求項３】
前記中継基板（５８）から上下に延びる前記各ハーネス（５６ａ）（５６ｂ）、（５７ａ）（５７ｂ）を前記前面パネル（３）の前記中継基板（５８）側の側縁（１６ａ）に沿って上下方向に配置したことを特徴とする請求項１又は２に記載の遊技機。
【発明の詳細な説明】
【技術分野】
【０００１】
本発明は、スロットマシン等の遊技機、取り分けその上部及び下部の左右両側に配置されたスピーカと、音声制御機能を有する音声制御基板とを接続するハーネスの接続構造にに関するものである。
【背景技術】
【０００２】
スロットマシン等の遊技機では、筐体の前側に開閉自在に装着された前面パネルの上下方向の中間に、各種の操作ボタンが設けられた操作パネル部を配置すると共に、複数個の図柄表示リールを有する表示リールユニット、液晶表示板ユニット等の遊技図柄表示手段に対応する表示窓を操作パネル部の上側に配置している。表示窓の左右両側に演出発光ランプを、前面パネルの上部の左右両側に左右一対の上スピーカを夫々配置し、また前面パネルの下部にメダル受け皿、下スピーカを配置している（特許文献１）。
【０００３】
そして、遊技図柄表示手段に表示される遊技図柄の組み合わせ等による遊技状態の変化に応じて、演出発光ランプにより視覚的な演出を行う一方、各スピーカから所定の効果音を発生させて聴覚的な演出を行うようにしている。
【特許文献１】特開２００３−２２５３５３号公報
【発明の開示】
【発明が解決しようとする課題】
【０００４】
この種の遊技機では、通常、スピーカからの効果音を制御する音声制御機能を有する演出制御基板を前面パネルの裏面の中間に配置し、この演出制御基板と各スピーカとをハーネスを介して接続して、演出制御基板により遊技状態に応じて各スピーカから発生する効果音を制御するようにしている。
【０００５】
しかし、演出制御基板と上下の各スピーカとをハーネスにより個別に接続する従来の接続構造では、前面パネルの裏側にある他のハーネスと錯綜すると共に、演出制御基板側に各スピーカ毎にコネクタを設ける必要があって、構造的に複雑化する欠点がある。また点検等の際には、多数のコネクタを演出制御基板に対して着脱しなければならない煩わしさもある。
【０００６】
本発明は、このような従来の問題点に鑑み、前面パネルの裏側のスピーカ用のハーネスの接続構造を簡単にでき、前面パネルの裏側でのハーネスの錯綜を防止できると共に、点検等に際しての作業を容易に行える遊技機を提供することを目的とする。
【課題を解決するための手段】
【０００７】
本発明は、前面パネル３の上部及び下部にスピーカ２３ａ，２３ｂ、３１ａ，３１ｂを配置し、前記前面パネル３の裏側に音声制御基板４４を配置し、該音声制御基板４４の制御により、遊技状態に応じて前記スピーカ２３ａ，２３ｂ、３１ａ，３１ｂから効果音を出すようにした遊技機において、前記音声制御基板４４を前記前面パネル３の裏側に配置し、前記前面パネル３の裏側に、前記音声制御基板４４にハーネス５５を介して接続されさた中継基板５８を配置し、該中継基板５８と前記各スピーカ２３ａ，２３ｂ、３１ａ，３１ｂとをハーネス５６ａ，５６ｂ、５７ａ，５７ｂを介して接続したものである。
【発明の効果】
【０００８】
本発明では、前面パネル３の裏側のスピーカ２３ａ，２３ｂ、３１ａ，３１ｂ用のハーネス５６ａ，５６ｂ、５７ａ，５７ｂの接続構造を簡単にでき、前面パネル３の裏側でのハーネス５６ａ，５６ｂ、５７ａ，５７ｂの錯綜を防止できると共に、点検等に際しての作業を容易に行える利点がある。
【発明を実施するための最良の形態】
【０００９】
以下、本発明の実施形態を図面に基づいて詳述する。図面は本発明をスロットマシンとして具現化した実施例を例示している。図１〜図３において、１は遊技機本体であり、筐体２と、この筐体２の前側に配置された矩形状の前面パネル３とを備えている。筐体２は前側が開放する箱形に形成されており、その前側を開閉自在に閉鎖するように前面パネル３が装着されている。
【００１０】
筐体２内には、図２に示すように、上部に左右方向に複数個の図柄表示リール５ａ〜５ｃを有する表示リールユニット６が設けられ、下部にメダル払い出し装置７、メダル補助ケース８、電源基板ケース９が設けられ、上下方向の中間に主制御基板ケース１０が設けられている。表示リールユニット６は筐体２の中間棚１１上に着脱自在に装着されており、この表示リールユニット６により、複数個の遊技図柄を変動表示可能な第１の遊技図柄表示手段が構成されている。
【００１１】
メダル払い出し装置７は、図２に示すように払い出し用のメダルを貯留するメダルホッパー１２と、メダルホッパー１２内のメダルを払い出すメダル払い出し手段１３と、メダルホッパー１２から溢れたメダルをメダル補助ケース８側に排出する余剰メダル排出口１４等を備え、底板１５上に着脱自在に装着されている。
【００１２】
前面パネル３は骨格体を構成するパネル体１６を備え、このパネル体１６は左右一端側の上下一対のヒンジ２７を介して筐体２に開閉自在に装着されている。前面パネル３には、その上部側に第１表示窓１７、第２表示窓１８、演出発光ランプ１９〜２１、上スピーカ２３ａ，２３ｂが配置され（図３参照）、中間部に上操作パネル部２４、前操作パネル部２５、前カバー２６が配置され、更に下部にメダル排出口２８、メダル受け皿２９、灰皿３０、下スピーカ３１ａ，３１ｂが配置されている。
【００１３】
第１表示窓１７は、筐体２側の図柄表示リール５ａ〜５ｃに対応して矩形状に形成されており、遊技者はこの第１表示窓１７を介して図柄表示リール５ａ〜５ｃを前側から視認可能である。第２表示窓１８は、前面パネル３の裏側に装着された液晶表示ユニット３２に対応して、第１表示窓１７よりも大型の矩形状に形成されており、遊技者はこの第２表示窓１８を介して液晶表示ユニット３２の表示画面を前側から視認可能である。
【００１４】
なお、液晶表示ユニット３２は、複数個の遊技図柄を変動表示可能な第２の遊技図柄表示手段と、その他の演出図柄等を可変表示する表示手段とを兼用しているが、その何れか一方の専用でもよい。また液晶表示ユニット３２に代えて表示リールユニットを設けてもよい。
【００１５】
上操作パネル部２４には、その左右方向の一端側に１ベットボタン３３、マックスベットボタン３４、キャンセルボタン３５が設けられ、他端側に遊技媒体としてのメダルを投入可能なメダル投入口３６が設けられている。
【００１６】
前操作パネル部２５には、図柄表示リール５ａ〜５ｃの回転を開始させるためのスタートレバー３７、回転中の図柄表示リール５ａ〜５ｃを夫々個別に停止させるためのストップボタン３８ａ〜３８ｃ、メダル投入口３６内に詰まったメダルを返却させるための返却ボタン３９等が設けられている。
【００１７】
演出発光ランプ１９〜２１は遊技状態を発光により視覚的に演出するものであり、その演出発光ランプ１９，２０は前面パネル３の上部で表示窓１７，１８の左右両側に縦方向に配置され、演出発光ランプ２１は表示窓１７，１８間で左右方向に配置されている。上スピーカ２３ａ，２３ｂは遊技状態を効果音により聴覚的に演出するためのもので、左右の演出発光ランプ１９の装飾カバー２２の上部側に形成された音出口４に対応してパネル体１６に裏側から装着されている。
【００１８】
パネル体１６は前面パネル３に対応する矩形状であって、その裏側には図３に示すように各スピーカ２３ａ，２３ｂ、３１ａ，３１ｂ、液晶表示ユニット３２の他に、メダル投入口３６から投入されたメダルの正偽を選別するメダル選別手段４０、メダル選別手段４０を通過した真正のメダルをメダルホッパー１２へと案内するメダルシュート４１、メダル選別手段４０で排除された偽メダル及びメダル払い出し手段１３で払い出されたメダルをメダル排出口２８からメダル受け皿２９へと案内するメダル案内通路４２等が設けられている。
【００１９】
液晶表示ユニット３２の裏側には、そのドライバ基板が収容されたドライバ基板ケース４３が装着され、このドライバ基板ケース４３の裏側に、演出制御基板４４が収容された制御基板ケース４５が装着されている。演出制御基板４４は主制御基板ケース１０内の主制御基板４６（図４参照）からのコマンドにより、そのときの遊技状態に応じて演出画像、演出発光及び効果音の制御を行うためのものであって、液晶表示ユニット３２の演出画像を制御する演出画像制御機能と、演出発光ランプ１９〜２１の点滅発光等を制御するランプ制御機能と、各スピーカ２３ａ，２３ｂ、３１ａ，３１ｂから発生する効果音を制御する音声制御機能とを有し、図４に示すようにコネクタ４７、ケーブル４８を介して液晶表示ユニット３２のドライバ基板に、コネクタ４９、ハーネス５０を介して各演出発光ランプ１９〜２１に、コネクタ５１，５２，５３ａ，５３ｂ，５４ａ，５４ｂ、ハーネス５５，５６ａ，５６ｂ，５７ａ，５７ｂ、中継基板５８を介して各スピーカ２３ａ，２３ｂ、３１ａ，３１ｂに夫々接続されている。
【００２０】
中継基板５８は、前面パネル３のヒンジ２７側の側縁１６ａと液晶表示ユニット３２との間の上下方向の中間でパネル体１６の裏側に上下方向に配置されて固定されている。中継基板５８はその上下方向の中間で演出制御基板４４側にコネクタ５２を、上側に左右一対の上コネクタ５３ａ，５３ｂを、下側に左右一対の下コネクタ５４ａ，５４ｂを夫々有する。
【００２１】
そして、コネクタ５２はハーネス５５を介して演出制御基板４４側のコネクタ５１に接続されている。コネクタ５１は演出制御基板４４の中継基板５８側の端縁近傍にあり、中継基板５８のコネクタ５２と接近して配置されている。
【００２２】
上スピーカ２３ａ，２３ｂ用のコネクタ５３ａ，５３ｂはハーネス５６ａ，５６ｂを介して上スピーカ２３ａ，２３ｂに個別に接続されている。このハーネス５６ａ，５６ｂは中継基板５８の上側から、前面パネル３のヒンジ２７側の側縁１６ａと液晶表示ユニット３２との間の上部側でパネル体１６の裏側の止め部５９を経て上方へと延びている。
【００２３】
そして、その一方のハーネス５６ａは、止め部５９の上方にある一方の上スピーカ２３ａに接続されている。また他方のハーネス５６ｂは、更に一方の上スピーカ２３ａと第１表示窓１７間でパネル体１６の裏側に形成された止め部６０から、第１表示窓１７の上側近傍、第１表示窓１７と他方の上スピーカ２３ｂ間の上部でパネル体１６の裏側に形成された止め部６１を経て他方の上スピーカ２３ｂに接続されている。
【００２４】
下スピーカ３１ａ，３１ｂ用のコネクタ５４ａ，５４ｂは、ハーネス５７ａ，５７ｂを介して下スピーカ３１ａ，３１ｂに個別に接続されている。このハーネス５７ａ，５７ｂは中継基板５８の下側から、前面パネル３のヒンジ２７側の側縁１６ａの近傍で且つ中継基板５８の下方においてパネル体１６の裏側に形成された止め部６２ａと、一方の下スピーカ３１ａの近傍でパネル体１６の裏側に形成された止め部６２ｂを経て下方へと延びている。
【００２５】
そして、一方のハーネス５７ａは止め部６２を経た後、一方の下スピーカ３１ａの左右方向の側部に接続されている。また他方のハーネス５７ｂは、一方の下スピーカ３１ａの下側から、メダル案内通路４２の下側を経て他方の下スピーカ３１ｂに接続されている。なお、他方のハーネス５７ｂは、メダル案内通路４２の下側の左右でパネル体１６の裏側に形成された止め部６３，６４を経由している。
【００２６】
各止め部５９〜６４は各ハーネス５６ａ，５６ｂ，５７ａ，５７ｂを引っ掛けて止めるようになっている。各ケーブル４８、ハーネス５０，５６ａ，５６ｂ、５７ａ，５７ｂは基板４４，５８に対してコネクタ４７，４９，５１，５２，５３ａ，５３ｂ，５７ａ，５７ｂを介して着脱自在になっている。
【００２７】
このように演出制御基板４４の側方近傍に中継基板５８を配置して、演出制御基板４４と中継基板５８とをハーネス５５を介して接続する一方、この中継基板５８からパネル体１６の側縁１６ａに沿って上スピーカ２３ａ，２３ｂ、下スピーカ３１ａ，３１ｂへと上下方向にハーネス５６ａ，５６ｂ、５７ａ，５７ｂを延ばして、各ハーネス５６ａ，５６ｂ、５７ａ，５７ｂを介して中継基板５８と上スピーカ２３ａ，２３ｂ、中継基板５８と下スピーカ３１ａ，３１ｂを夫々接続することにより、前面パネル３の裏側での他のハーネスとの錯綜、スピーカ２３ａ，２３ｂ，３１ａ，３１ｂ用のハーネス５３ａ，５３ｂ、５７ａ，５７ｂ相互の錯綜等を防止できると共に、演出制御基板４４側に上スピーカ２３ａ，２３ｂ、下スピーカ３１ａ，３１ｂ毎にコネクタを設ける必要もなく、構造的に簡素化できる。また演出制御基板４４を上下方向の略中央、又は中央近傍に配置することにより、最も効率的に各ハーネス５６ａ，５６ｂ、５７ａ，５７ｂを配線することができる。
【００２８】
しかも演出制御基板４４側の点検の際には、演出制御基板４４側のコネクタ５１を外せば良く、また中継基板５８から上下に延びるハーネス５６ａ，５６ｂ、５７ａ，５７ｂの何れか一方が点検等で邪魔になる際には、その一方のハーネス５６ａ，５６ｂ、５７ａ，５７ｂのコネクタ５３ａ，５３ｂ、５４ａ，５４ｂを中継基板５８から外せばよい。このため点検に際してのコネクタ５３ａ，５３ｂ、５４ａ，５４ｂの着脱も容易にできる。
【００２９】
更に上スピーカ２３ａ，２３ｂ用のハーネス５６ａ，５６ｂは第１表示窓１７を迂回してその上側に通し、下スピーカ３１ａ，３１ｂ用のハーネス５７ａ，５７ｂは下スピーカ３１ａ，３１ｂ、メダル案内通路４２を迂回してその下側に通しているので、これらのハーネス５６ａ，５６ｂ、５７ａ，５７ｂが邪魔になるようなこともない。
【００３０】
以上、本発明の実施例について詳述したが、本発明はこの実施例に限定されるものではなく、本発明の趣旨を逸脱しない範囲で種々の変更が可能である。例えば、実施例では、演出画像制御機能、ランプ制御機能、音声制御機能を有する演出制御基板４４を使用しているが、専用の音声制御基板を設け、この音声制御基板の側方に中継基板５８を配置して、両者をハーネスで接続するようにしてもよい。
【００３１】
中継基板５８は音声制御基板とパネル体１６の側縁１６ａとの間に配置するのが望ましい、また音声制御基板に対する上下方向の相対位置は、音声制御基板の上部側、下部側の何れでもよいし、音声制御基板の上下幅から若干上下方向に外れた位置であっても、音声制御基板の側方近傍であれば十分である。
【００３２】
中継基板５８には、上スピーカ２３ａ，２３ｂ、下スピーカ３１ａ，３１ｂ用として上下に各２個のコネクタ５３ａ，５３ｂ、５４ａ，５４ｂを設けているが、上スピーカ２３ａ，２３ｂ用の１個のコネクタと下スピーカ３１ａ，３１ｂ用の１個のコネクタとを上下に設けてもよい。
【００３３】
実施例では上部の左右両側に上スピーカ２３ａ，２３ｂを、下部の左右両側に下スピーカ３１ａ，３１ｂを夫々配置しているが、上部、下部の何れか一方、又は両方のスピーカを１個としてもよい。その場合、１個のスピーカは左右の何れか一方側に配置してもよいし、中央又は中央の近傍に配置することが望ましい。
【００３４】
また遊技媒体としてメダルを使用するスロットマシンを例示しているが、メダル以外の遊技媒体を使用するものでもよい。更にパチンコ機その他の弾球遊技機、又はスロットマシン、弾球遊技機以外の遊技機においても同様に実施することが可能である。
【図面の簡単な説明】
【００３５】
【図１】本発明の一実施例に係るスロットマシンの全体斜視図である。
【図２】同筐体側の正面図である。
【図３】同前面パネルの背面図である。
【図４】同制御系の配線図である。
【符号の説明】
【００３６】
３  前面パネル
１６ａ  側縁
２３ａ，２３ｂ、３１ａ，３１ｂ  スピーカ
４４  演出制御基板（音声制御基板）
５５  ハーネス
５６ａ，５６ｂ、５７ａ，５７ｂ  ハーネス
【図１】
2007313165.tif 000003
【図２】
2007313165.tif 000004
【図３】
2007313165.tif 000005
【図４】
2007313165.tif 000006